(57)【特許請求の範囲】
【請求項１】
開口を有する第１基板と、前記第１基板に配され各々複数本からなる２組のアームと、各々複数枚の羽根からなりそれらの一端を基部とし他端を先端部として該基部側を前記各組のアームに連結されていて該アームによって重畳，走査及び散開することで前記開口を開閉する先羽根群及び後羽根群と、前記開口と対向する開口を有していて前記第１基板に対して前記先羽根群及び前記後羽根群を間にして配された第２基板と、前記二つの開口と対向する開口を有していて前記先羽根群と前記後羽根群との間に配された中間板と、前記中間板に対し前記各羽根群の先端部側を間にして前記各基板側に配された二つの羽根押え部材と、を備えたカメラ用フォーカルプレンシャッタにおいて、
前記中間板は、前記各羽根群の開閉作動範囲にわたり前記先端部側に対向する部位が前記各羽根押え部材側に突出している第１の肉厚部と、前記各羽根群の開閉作動範囲にわたり前記基部側に対向する部位が前記各基板側に突出している第２の肉厚部とを合成樹脂材料で一体成形しており、前記各羽根群の開閉作動中に該各羽根群の先端部側を該第１の肉厚部と前記各羽根押え部材との間でそれらに当接可能にするとともに前記各羽根群の基部側を該第２の肉厚部に当接可能とし、前記各羽根群が前記中間板の開口側へ近づくのを制限するようにしたことを特徴とするカメラ用フォーカルプレンシャッタ。
【請求項２】
前記二つの羽根押え部材は、その一方が前記第１基板と、他方が前記第２基板と、いずれも合成樹脂材料により一体成形することとした請求項１に記載のカメラ用フォーカルプレンシャッタ。
【請求項３】
前記中間板は、前記各羽根群の散開時において各羽根に対向する面が光軸に対して傾斜した形状をしているとともに、前記第１基板の軸に対して光軸方向に移動可能に支持される部位が肉厚に形成されていることとした請求項１又は２に記載のカメラ用フォーカルプレンシャッタ。
【請求項４】
前記中間板の開口縁を斜面形状に形成することとした請求項１乃至３のいずれかに記載のカメラ用フォーカルプレンシャッタ。
【請求項５】
前記第２の肉厚部はガイドレール形状であることとした請求項１乃至４のいずれかに記載のカメラ用フォーカルプレンシャッタ。
【請求項６】
前記中間板は、外周部分に遮光壁を合成樹脂材料により一体成形することとした請求項１乃至５のいずれかに記載のカメラ用フォーカルプレンシャッタ。
【請求項７】
前記中間板は、露光作動時の後羽根群の走行終端側において所定のアームを衝突制動するアーム緩衝部材を配するとともに、該アーム緩衝部材を位置決めする凸形状の第１の位置決め部を合成樹脂材料により一体成形することとした請求項１乃至６のいずれかに記載のカメラ用フォーカルプレンシャッタ。
【請求項８】
前記中間板は、露光作動時の後羽根群の走行終端側において所定の羽根を衝突制動する羽根緩衝部材を配するとともに、該羽根緩衝部材を位置決めする所定長の凸形状の第２の位置決め部を合成樹脂材料により一体成形することとした請求項１乃至７のいずれかに記載のカメラ用フォーカルプレンシャッタ。
【請求項９】
前記中間板は、該中間板の面から延設された足部と該足部より折曲げ形状に突設された止め部とを有する係合部を合成樹脂材料により一体成形されていて、前記止め部が前記各基板のいずれか一方と係合し前記足部によって該基板と所定の間隔を維持することとした請求項１乃至８のいずれかに記載のカメラ用フォーカルプレンシャッタ。
【請求項１０】
前記中間板は、該中間板の第１基板側及び第２基板側に各々位置されていて前記各羽根群の重畳状態を許容する空間を形成するためのスペース部材を、合成樹脂材料により一体成形することとした請求項１乃至９のいずれかに記載のカメラ用フォーカルプレンシャッタ。
【請求項１１】
前記中間板を形成する合成樹脂材料は、遮光性を有し反射防止機能を備える黒色のバインダーを添加していることとした請求項１乃至１０のいずれかに記載のカメラ用フォーカルプレンシャッタ。
【発明の詳細な説明】
【０００１】
【産業上の利用分野】
本発明は、カメラ用フォーカルプレンシャッタに関し、より詳細には、正確な露光作動を実現するようにしたカメラ用フォーカルプレンシャッタに関する。
【０００２】
【従来の技術】
従来より、複数枚の羽根よりなり各羽根の一方端側を複数本のアームでそれぞれ連結した羽根群を２組用いて、先羽根群及び後羽根群とし、開口を有するシャッタ基板の一方端側に配された軸に前記アームを挿入して揺動可能とした構成のカメラ用フォーカルプレンシャッタは周知である。
【０００３】
このようなカメラ用フォーカルプレンシャッタにおいて、先羽根群と後羽根群との接触や衝突等の現象を防止するため、或いはシャッタ基板とカバー板との間隔をより狭くするため、中間板を配することは、本願と同一出願人は特開昭５８−２２４３３７号公報等において開示している。
また、重畳、走査及び散開において羽根の重なり量が変化しても、両スリット形成羽根の間隔を常に一定に保たせて光漏れや露光量のばらつき等を防ぐことを実現するため、或いはシャッタ基板とカバー板との間隔をさらに狭くするため、中間板をシャッタ基板に対し斜めに設定することは、本願と同一出願人は上記公報や特開昭６１−２９２１３０号公報等において開示しており、また、実開昭６１−１５３０３４号公報等においても開示している。
【０００４】
一例について、図を用いて説明する。図３５は、従来のカメラ用フォーカルプレンシャッタを示し、模式的に示した概略的な側面図である。２０１はシャッタ基板で、開口２０１ａを有し、駆動部２０２が配設されている。また、シャッタ基板２０１には軸２０３，２０４が固定されて取付けられている。軸２０３，２０４は、シャッタ基板２０１側に所定肉厚の台部２０３ａ，２０４ａが一体に形成されており、軸部２０３ｂ，２０４ｂが延長され、小径部２０３ｃ，２０４ｃを有し、先端側には止め部２０３ｄ，２０４ｄが形成されている。２０５は中間板で、開口２０５ａが形成されている。また、中間板２０５は、軸部２０３ｂ，２０４ｂに緩挿されていて移動可能になっている。２０６はカバー板で、開口２０６ａ、突出部２０６ｂ，２０６ｃが形成されており、軸部２０３ｂ，２０４ｂによりカバー板２０６のシャッタ基板２０１側への移動を制限されている。
２０７は先羽根群で、複数枚の羽根より構成されていて、この例では、４枚の羽根２０７ａ，２０７ｂ，２０７ｃ，２０７ｄより構成され、図においては展開状態にある。先羽根群２０７は図示しない複数本のアームに連結され、該アームはシャッタ基板２０１に配されて、所定のアームは駆動部２０２により駆動されるようになっている。２０８は後羽根群で、複数枚の羽根より構成されていて、この例では、４枚の羽根２０８ａ，２０８ｂ，２０８ｃ，２０８ｄより構成され、図においては重畳状態にある。後羽根群２０８は図示しない複数本のアームに連結され、該アームはシャッタ基板２０１に配されて、所定のアームは駆動部２０２により駆動されるようになっている。
２０９は先羽根押え板で、軸部２０３ｂ，２０４ｂに緩挿されており、また、台部２０３ａ，２０４ａによりシャッタ基板２０１側への移動を制限されている。２１０は後羽根押え板で、軸部２０３ｂ，２０４ｂに緩挿されており、また、カバー板２０６の突出部２０６ｂ，２０６ｃによりカバー板２０６側への移動を制限されている。２１１は先羽根群用スペーサで、軸部２０３ｂに緩挿されていて、先羽根群２０７の重畳状態における所定の空間を形成する。２１２は後羽根群用スペーサで、軸部２０４ｂに緩挿されていて、後羽根群２０８の重畳状態における所定の空間を形成する。
図においては、セット完了状態を示しており、シャッタレリーズ等の所定の操作・信号等により、散開状態にある先羽根群２０７を重畳状態へと走行させ、所定時間後に、重畳状態にある後羽根群２０８を散開状態へと走行させて、一回の露光が行われる。
【０００５】
このような中間板を配したカメラ用フォーカルプレンシャッタにおいては、各羽根群が、中間板によって仕切られた空間を別々に走行するように構成されている。しかし、露光時の走行の際、先羽根群の走行によって中間板があおられて該中間板がたわんだり、不安定な移動や振動を生じて、後羽根群の走行空間側に変位したりして、後羽根群のスリット形成羽根が、中間板に形成された開口の縁に衝突して、該スリット形成羽根の変形や切断等の、損傷の事故が生ずるという不都合を有していた。
これを防止するため、中間板に形成された開口の縁を斜面形状とすることが提案されているが、近年のように、羽根材として、チタン合金やアルミ合金或いはプラスチック等の比重の小さい材料を用いたり、羽根の肉厚を薄くした羽根を用いている場合には、羽根の板材としての剛性が低いものであるため、露光作動時のスリット形成羽根のたわみはより大きくなり、中間板の開口の縁の斜面形状化だけでは防ぎきれず、中間板の開口の縁に激しく衝突して、該スリット形成羽根の変形や切断等の、損傷の事故が生じていた。
このような事情に鑑みて、中間板を所定の曲げ形状とするようにして、かかる問題を解消することを、本願と同一出願人は前述の特開昭５８−２２４３３７号公報や特開昭６１−２９２１３０号公報等において提案している。また、実公昭６３−４７８６０号公報等においては、開口縁の形状を変更することによって、かかる問題を解消するようにしている。
【０００６】
ところで、上記の提案においては、通常、中間板は、金属材料又は樹脂材料よりなり、面全体に渡りほぼ同厚の板状のもの（樹脂材料を用いたものにおいてはシート形状のもの）を用いて、四隅又は所定の位置に孔を設け、シャッタ基板に固定又は半固定するようにしている。従って、シャッタ基板に固定するようにしたものにおいては、中間板が常に歪を生じてたわんでいたりして、各羽根群のために確保されるべき所定の空間が当初よりばらつき等を生じ、露光に悪影響を及ぼすという不都合を有していた。また、シャッタ基板に半固定するようにしたものにおいては、中間板は不安定な状態にあって、複雑な振動を生じやすいため、各羽根群の走行中において、この複雑な振動が各羽根群の作動に影響を与え、露光に悪影響を及ぼすという不都合を有していた。
このような事情を鑑みて、例えば実公平７−９１４３号公報には、中間板の配設される部位の面を、あらかじめ傾斜した形状とする技術が提案されているが、中間板に設けられる孔の内周面は、配設部位の軸の外周面形状と平行ではないため、中間板の面の歪みは依然として残留し、常にたわんだ状態を解消することは充分にできないものである。また、該孔の内周面を、配設部位の軸の外周面形状と平行となるように製造することは極めて困難なことである。なお、この技術においても、面全体に渡りほぼ同厚の樹脂よりなる板状（シート状）のものを用いているので、これにより、上述のような問題をも有している。
なお、例えばポリエステルフィルム（ポリエステルシート）により中間板を形成したものにおいては、中間板としての厚さを薄くできる利点を有するが、各羽根群の走行空間を安定かつ一定なものとして確保するのは極めて難しく、また、曲げ加工や、部分的にミーリングにより薄肉化するのは困難であるという問題を有していた。
【０００７】
なお、一般に、露光時の各羽根群の作動の方法により、それぞれにおいて、以下のような問題点を有している。すなわち、比較的低速の場合に行われる全開露光と、高速の場合に行われるスリット露光についてである。
（１）全開露光、すなわち、先羽根群が散開状態から重畳状態へと走行し、該走行が完了した後、後羽根群が重畳状態から散開状態へと走行を開始する場合であり、先羽根群が散開状態から重畳状態へと走行し、該重畳状態となったときの停止による衝撃が、中間板のふらつき振動を発生させる。そして、中間板のこの振動現象が、後羽根群が重畳状態から散開状態へと走行するときに悪影響を与え、後羽根群の安定走行を阻害して、例えば、幕速の変動が生じて、露光量のばらつきとなる。
（２）スリット露光、すなわち、先羽根群が散開状態から重畳状態への走行を開始して、先羽根群と所定間隔のスリットを形成するための所定時間後に、先羽根群を追うようにして、後羽根群が重畳状態から散開状態へと走行を開始する場合であり、中間板は、先羽根群の走行中の動作の影響を受けて、例えばたわんだりする。このたわみが、すぐ後に追うようにして走行してくる後羽根群の走行運動に影響して、例えば、幕速の変動が生じて、露光量のばらつきとなる。
【０００８】
【発明が解決しようとする課題】
本発明は、このような点に鑑みてなされたものであり、その目的とするところは、中間板の不安定な振動や移動を防止して、正確で安定した露光を実現して可及的に先羽根群及び後羽根群の各羽根群の羽根が、中間板の開口の縁と衝突する問題を解消し、しかもカメラ用フォーカルプレンシャッタとしての総合的に高い遮光性を備えたカメラ用フォーカルプレンシャッタを提供することにある。
【０００９】
【課題を解決するための手段】
上記の目的を達成するため、本発のカメラ用フォーカルプレンシャッタは、請求項１において、開口を有する第１基板と、前記第１基板に配され各々複数本からなる２組のアームと、各々複数枚の羽根からなりそれらの一端を基部とし他端を先端部として該基部側を前記各組のアームに連結されていて該アームによって重畳，走査及び散開することで前記開口を開閉する先羽根群及び後羽根群と、前記開口と対向する開口を有していて前記第１基板に対して前記先羽根群及び前記後羽根群を間にして配された第２基板と、前記二つの開口と対向する開口を有していて前記先羽根群と前記後羽根群との間に配された中間板と、前記中間板に対し前記各羽根群の先端部側を間にして前記各基板側に配された二つの羽根押え部材と、を備えたカメラ用フォーカルプレンシャッタにおいて、前記中間板は、前記各羽根群の開閉作動範囲にわたり前記先端部側に対向する部位が前記各羽根押え部材側に突出している第１の肉厚部と、前記各羽根群の開閉作動範囲にわたり前記基部側に対向する部位が前記各基板側に突出している第２の肉厚部とを合成樹脂材料で一体成形しており、前記各羽根群の開閉作動中に該各羽根群の先端部側を該第１の肉厚部と前記各羽根押え部材との間でそれらに当接可能にするとともに前記各羽根群の基部側を該第２の肉厚部に当接可能とし、前記各羽根群が前記中間板の開口側へ近づくのを制限するようにしたものである。
【００１０】
また、本発明の他の手段は、請求項２において、前記二つの羽根押え部材は、その一方が前記第１基板と、他方が前記第２基板と、いずれも合成樹脂材料により一体成形することとしたものである。
また、本発明の他の手段は、請求項３において、前記中間板は、前記各羽根群の散開時において各羽根に対向する面が光軸に対して傾斜した形状をしているとともに、前記第１基板の軸に対して光軸方向に移動可能に支持される部位が肉厚に形成されていることとしたものである。
また、本発明の他の手段は、請求項４において、前記中間板の開口縁を斜面形状に形成することとしたものである。
【００１１】
また、本発明の他の手段は、請求項５において、前記第２の肉厚部はガイドレール形状であることとしたものである。
【００１２】
また、本発明の他の手段は、請求項６において、前記中間板は、外周部分に遮光壁を合成樹脂材料により一体成形することとしたものである。
また、本発明の他の手段は、請求項７において、前記中間板は、露光作動時の後羽根群の走行終端側において所定のアームを衝突制動するアーム緩衝部材を配するとともに、該アーム緩衝部材を位置決めする凸形状の第１の位置決め部を合成樹脂材料により一体成形することとしたものである。
また、本発明の他の手段は、請求項８において、前記中間板は、露光作動時の後羽根群の走行終端側において所定の羽根を衝突制動する羽根緩衝部材を配するとともに、該羽根緩衝部材を位置決めする所定長の凸形状の第２の位置決め部を合成樹脂材料により一体成形することとしたものである。
また、本発明の他の手段は、請求項９において、前記中間板は、該中間板の面から延設された足部と該足部より折曲げ形状に突設された止め部とを有する係合部を合成樹脂材料により一体成形されていて、前記止め部が前記各基板のいずれか一方と係合し前記足部によって該基板と所定の間隔を維持することとしたものである。
また、本発明の他の手段は、請求項１０において、前記中間板は、該中間板の第１基板側及び第２基板側に各々位置されていて前記各羽根群の重畳状態を許容する空間を形成するためのスペース部材を、合成樹脂材料により一体成形することとしたものである。
また、本発明の他の手段は、請求項１１において、前記中間板を形成する合成樹脂材料は、遮光性を有し反射防止機能を備える黒色のバインダーを添加していることとしたものである。
【００１３】
【作用】
本発明の作用は、請求項１において、中間板は、各羽根群の重畳、走査及び散開を許容する範囲で、各羽根群の各羽根同士が光軸方向に中間板側へ離れるのを制限する第１の肉厚部と第２の肉厚部とを、合成樹脂材料により一体成形したので、該二つの肉厚部により、各羽根同士が光軸方向に中間板側へ離れる現象が抑制されて、羽根自身の不要なたわみを防止するとともに、中間板の不安定な振動や移動を防止するので、正確で安定した露光が実現される。また、該二つの肉厚部により、実質的に各羽根を中間板の開口と所定の距離を保って離れた状態とさせるので、開口の縁と衝突する現象が可及的に解消される。また、該二つの肉厚部により、各羽根同士が光軸方向に中間板側へ離れるのを制限されて高い遮光性が実現される。さらに、該二つの肉厚部は、中間板の開口の両側に形成されることとしたので、各羽根群のスリット形成羽根の、光軸方向における位置を照準位置として、他の遮光羽根をスリット形成羽根に、近接又は当接させるとともに、各遮光羽根同士を、近接又は当接させることができる。
【００１４】
本発明の作用は、請求項２において、前記二つの羽根押え部材は、その一方が前記第１基板と、他方が前記第２基板と、いずれも合成樹脂材料により一体成形することとしたので、部品点数が少なくなり、組立も容易になる。
【００１５】
本発明の作用は、請求項３において、中間板は、各羽根群の重畳、走査及び散開を許容する範囲で、各羽根群の各羽根同士が光軸方向に中間板側へ離れるのを制限するように、前記各羽根群の散開時において各羽根に対向する面が光軸に対して傾斜した状態にて光軸方向に移動可能に支持される肉厚部を有することとしたので、該肉厚部により、第１基板と第２基板との間において、中間板は、その傾斜面の角度が常に一定に保たれた状態にて、光軸方向に移動可能にされて、負荷を与えることなく各羽根群の走行空間が常に一定に確保されるので、各羽根同士の光軸方向への離れ現象が制限されて、高い遮光性が実現される。また、該肉厚部により、羽根同士の離れ現象が抑制されて羽根自身の不要なたわみを防止するとともに中間板の不安定な振動や移動を防止するので、正確で安定した露光が実現される。
【００１６】
【実施例】
本発明のカメラ用フォーカルプレンシャッタは、種々のカメラ用フォーカルプレンシャッタに適用されることが可能なものであるが、その好適なる例について、以下に、図を用いて説明する。
【００１７】
第１実施例
第１実施例においては、中間板は、各羽根群の重畳、走査及び散開を許容する範囲で、各羽根群の各羽根同士が光軸方向に中間板側へ離れるのを制限する肉厚部を有して、合成樹脂材料により一体成形したものである。従って、該肉厚部により、各羽根群の各羽根同士が光軸方向に中間板側へ離れる現象が抑制されて、羽根自身の不要なたわみを防止するとともに、これにより、中間板の不安定な振動や移動を防止するので、正確で安定した露光が実現される。また、該肉厚部により、実質的に各羽根を中間板の開口と所定の距離を保って離れた状態とさせるので、開口の縁と衝突する現象が可及的に解消される。また、該肉厚部により、各羽根同士が光軸方向に中間板側へ離れることが制限されることとなって、各羽根同士の離れによる漏光が抑制されて、高い遮光性が実現される。
【００１８】
第２実施例及び第３実施例
第２実施例及び第３実施例においては、中間板は、各羽根群の重畳、走査及び散開を許容する範囲で、各羽根群の各羽根同士が光軸方向に中間板側へ離れるのを制限するよう、中間板の、各羽根群のアームに支持されない先端側に対向する部位が、アームに支持される基部側に対向する部位よりも肉厚に形成された肉厚部を有することとしたものである。これにより、各羽根群のスリット形成羽根の、光軸方向における本来の位置を、照準の位置として、他の遮光羽根を、スリット形成羽根に近接又は当接させるとともに、各遮光羽根同士を、近接又は当接させることができる。
【００１９】
第２実施例について、図を用いて説明する。図１は、本発明のカメラ用フォーカルプレンシャッタの第２実施例を示し、中間板を示す斜視図である。
図１において、５０１は中間板で、合成樹脂材料により一体成形された、いわゆる樹脂モールドされたものである。中間板５０１は、開口５０１ａ、貫通した孔５０１ｂ，５０１ｃが、一体成形により形成されている。また、中間板５０１は、中間板５０１の、少なくとも開口５０１ａの略中央線に対して、先羽根群のアームに支持されない先端側に対向する部位には、肉厚部５０１ｄが形成されている。また、中間板５０１は、中間板５０１の、少なくとも開口５０１ａの略中央線に対して、後羽根群のアームに支持されない先端側に対向する部位には、肉厚部５０１ｅが形成されている。
肉厚部５０１ｄは、先羽根群のアームに支持されない先端側を主とした所定の部位に当接し、また、肉厚部５０１ｅは、後羽根群のアームに支持されない先端側を主とした所定の部位に当接して、これにより、各羽根群のスリット形成羽根の、光軸方向における本来の位置を、照準の位置として、他の遮光羽根を、スリット形成羽根に近接又は当接させるとともに、各遮光羽根同士を近接又は当接させることができる。
なお、肉厚部５０１ｄ，５０１ｅは、この実施例においては、平面にて形成された平坦部と、平面にて形成された斜面部とよりなっているが、これに限定されることはなく、各羽根群の重畳、走査及び散開を許容する範囲で、各羽根群の各羽根同士が光軸方向に中間板側へ離れるのを制限するよう、中間板の、各羽根群のアームに支持されない先端側に対向する部位が、アームに支持される基部側に対向する部位よりも肉厚に形成された肉厚部を有していればよい。
【００２０】
このような構成について、さらに明確なものとするため、第３実施例について、図を用いて詳述する。図２は、本発明のカメラ用フォーカルプレンシャッタの第３実施例で、セット完了状態を示し、模式的に示した概略的な側面図である。図３は、本発明のカメラ用フォーカルプレンシャッタの第３実施例で、シャッタ基板を示す平面図である。図４は、本発明のカメラ用フォーカルプレンシャッタの第３実施例で、先羽根押え板を示す平面図である。図５は、本発明のカメラ用フォーカルプレンシャッタの第３実施例で、先羽根群を示す平面図である。図６は、本発明のカメラ用フォーカルプレンシャッタの第３実施例で、中間板を示す平面図である。図７は、本発明のカメラ用フォーカルプレンシャッタの第３実施例で、後羽根群を示す平面図である。図８は、本発明のカメラ用フォーカルプレンシャッタの第３実施例で、後羽根押え板を示す平面図である。図９は、本発明のカメラ用フォーカルプレンシャッタの第３実施例で、カバー板を示す平面図である。図１０は、本発明のカメラ用フォーカルプレンシャッタの第３実施例で、中間板を示し、図６におけるＢ−Ｂ線での断面図である。図１１は、本発明のカメラ用フォーカルプレンシャッタの第３実施例で、セット完了状態を示し、開口中央付近での模式的に示した概略的な側面図である。図１２は、本発明のカメラ用フォーカルプレンシャッタの第３実施例で、露光作動完了状態を示し、開口中央付近での模式的に示した概略的な側面図である。図１３は、本発明のカメラ用フォーカルプレンシャッタの第３実施例で、図２におけるＡ−Ａ線での模式的に示した概略的な断面図である。
【００２１】
１はシャッタ基板で、図２に示すように、開口１ａが形成されており、開口１ａのひとつの側方に、後述する先羽根群及び後羽根群を駆動するための駆動部２が配設されている。シャッタ基板１には、孔１ｂ，１ｃが形成されており、孔１ｂ，１ｂに軸３，４が固定されて取付けられ、孔１ｃには図示しない軸が固定され取付けられている。なお、シャッタ基板１が合成樹脂材料により一体成形される場合には、軸３，４等をも一体成形するようにしてもよい。軸３，４は、シャッタ基板１側に所定肉厚の台部３ａ，４ａが一体に形成されており、軸部３ｂ，４ｂが延長され、軸部３ｂ，４ｂに連続して小径部３ｃ，４ｃが設けられ、先端側には止め部３ｄ，４ｄが形成されている。
【００２２】
５は中間板で、合成樹脂材料により一体成形された、いわゆる樹脂モールドされたものであり、図６に示すように、開口５ａ、貫通した孔５ｂ，５ｃが、一体成形により形成されている。中間板５は、孔５ｂが軸部３ｂ，４ｂに挿入されて、また、孔５ｃが図示しない軸に挿入されて、光軸方向に所定量を移動可能になっている。中間板５の、少なくとも開口５ａの略中央線に対して、後述する先羽根群の後述するアームに支持されない先端側に対向する部位には、肉厚部５ｄが形成されている。また、図６のＢ−Ｂ線での断面を示した図１０に示すように、中間板５は、少なくとも開口５ａの略中央線に対して、後述する後羽根群の後述するアームに支持されない先端側に対向する部位には、肉厚部５ｅが形成されている。図２においては、紙面の手前側が、アームに支持されない先端側に対向する部位となり肉厚に形成されているので、羽根群はその一部のみが見える状態となっている。
肉厚部５ｄは、先羽根群のアームに支持されない先端側を主とした所定の部位に当接し、また、肉厚部５ｅは、後羽根群のアームに支持されない先端側を主とした所定の部位に当接して、これにより、各羽根群のスリット形成羽根の、光軸方向における本来の位置を、照準の位置として、他の遮光羽根を、スリット形成羽根に近接又は当接させるとともに、各遮光羽根同士を近接又は当接させることができる。
【００２３】
６はカバー板で、開口６ａが形成されていて、また、突出部６ｂ，６ｃが形成されている。また、カバー板６は、孔６ｄ、６ｅが形成されていて、孔６ｅにて小径部３ｃ，４ｃに挿入される。また、軸部３ｂ，４ｂによりカバー板６のシャッタ基板１側への移動を制限されている。
７は先羽根群で、複数枚の羽根より構成され、この例では、４枚の羽根７ａ，７ｂ，７ｃ，７ｄより構成され、図２においては散開状態にある。図５に示すように、先羽根群７は、各羽根７ａ，７ｂ，７ｃ，７ｄが、先羽根駆動アーム８と先羽根支持アーム９のそれぞれに、かしめダボ１０ａ，１０ｂ，１０ｃ，１０ｄ、及び、かしめダボ１１ａ，１１ｂ，１１ｃ，１１ｄにより連結されている。先羽根駆動アーム８、先羽根支持アーム９は、それぞれ孔８ａ、９ａがシャッタ基板１側の図示しない所定の軸に配されて、先羽根駆動アーム８は、先羽根駆動アーム８に形成された孔８ｂに駆動部２側に設けられた図示しない先羽根駆動レバーが係合して、駆動されるようになっている。
１２は後羽根群で、複数枚の羽根より構成され、この例では、４枚の羽根１２ａ，１２ｂ，１２ｃ，１２ｄより構成され、図２においては重畳状態にある。後羽根群１２は、各羽根１２ａ，１２ｂ，１２ｃ，１２ｄが、後羽根駆動アーム１３及び後羽根支持アーム１４のそれぞれに、かしめダボ１５ａ，１５ｂ，１５ｃ，１５ｄ、及び、かしめダボ１６ａ，１６ｂ，１６ｃ，１６ｄにより連結されている。後羽根駆動アーム１３、後羽根支持アーム１４は、それぞれ孔１３ａ、１４ａがシャッタ基板１側の図示しない所定の軸に配されて、後羽根駆動アーム１３は、後羽根駆動アーム１３に形成された孔１３ｂに駆動部２側に設けられた図示しない後羽根駆動レバーが係合して、駆動されるようになっている。。
１７は先羽根押え板で、台部３ａ，４ａに当接可能になっている。１８は後羽根押え板で、一方の面は、カバー板６の突出部６ｂ，６ｃに当接可能で、それ以上の移動を制限されている。１９は先羽根群用スペーサで、先羽根群７の重畳状態における所定の空間を形成する。２０は後羽根群用スペーサで、後羽根群１２の重畳状態における所定の空間を形成する。
【００２４】
次に、セット完了状態と露光作動完了状態とについて説明する。図１１は、セット完了状態を示しており、シャッタレリーズ等の所定の操作・信号等により、散開状態にある先羽根群７を重畳状態へと走行させ、所定時間後に、重畳状態にある後羽根群１２を散開状態へと走行させることにより、一回の露光が行われるようになっている。図１２は、露光作動が完了した状態の、先羽根群７、後羽根群１２及び中間板５の相対的関係を示している。
【００２５】
そして、第３実施例における特徴点である中間板５に設けられた肉厚部５ｄ，５ｅについて詳述する。図１３、すなわち、図２におけるＡ−Ａ線での模式的に示した概略的な断面図を用いて説明する。先羽根群７の先スリット形成羽根７ａは、肉厚部の面５ｄへの当接により、中間板５側への移行を制限される。そして、先羽根群７の他の羽根ついても、図２に示す散開時の各羽根の位置も含めて、走査中及び重畳状態において、各羽根は、肉厚部の面５ｄへの当接により、中間板５側への移行を制限される。後羽根群１２についても同様である。図２においては、後羽根群１２は重畳状態にあり、後羽根群１２の遮光羽根１２ｄは、肉厚部の面５ｅへの当接により、中間板５側への移行を制限される。
従って、各羽根群の重畳、走査及び散開を許容する範囲で、各羽根群の各羽根同士が光軸方向に中間板５側へ離れるのを制限される。
これにより、羽根群を支持するアームが、羽根に対してシャッタ基板側またはカバー側に配されている構成を考慮して、各羽根群のスリット形成羽根の光軸方向における本来の位置を照準の位置として、他の遮光羽根をスリット形成羽根に近接又は当接させるとともに、各遮光羽根同士を近接又は当接させることができる。
【００２６】
なお、第３実施例においては、中間板５に形成される肉厚部５ｄ，５ｅは、図２に示すように、先羽根群用スペーサ１９，後羽根群用スペーサ２０により中間板５を傾斜状態とさせることを考慮して、及び各羽根群の重畳、走査及び散開の状態を考慮して、図２，図６，図１０に示すような曲面を有して形成されているが、このような曲面形状に限定されることはなく、各羽根群の重畳、走査及び散開を許容する範囲で、各羽根群の各羽根同士が光軸方向に中間板側へ離れるのを制限するよう、中間板の、各羽根群のアームに支持されない先端側に対向する部位が、アームに支持される基部側に対向する部位よりも肉厚に形成された肉厚部を有していればよい。
また、上述の制限の度合いは、肉厚部５ｄ，５ｅの厚さやその形状（断面及び平面等含めて）、或いは中間板５の他の部位の形状に依存する中間板５の羽根室空間内での移動の自由度により異なり、羽根の板厚や走行特性等を始めとする種々の仕様や、羽根とアームとのかしめに依存する形状偏向傾向や製造誤差等を考慮して、より適切なものとするために種々に選択可能であり、第３実施例に限定されるものではない。
このように、各羽根群のスリット形成羽根の光軸方向における本来の位置を照準の位置として、他の遮光羽根をスリット形成羽根に近接又は当接させるとともに、各遮光羽根同士を近接又は当接させることができる。
従って、画面内の位置による露光ムラや、羽根同士の離れによる漏光等を防止することができる。
【００２７】
第４実施例
第４実施例について、図を用いて説明する。図１４は、本発明のカメラ用フォーカルプレンシャッタの第４実施例で、セット完了状態を示し、模式的に示した概略的な側面図である。図１５は、本発明のカメラ用フォーカルプレンシャッタの第４実施例で、中間板を示す平面図である。図１６は、本発明のカメラ用フォーカルプレンシャッタの第４実施例で、中間板を示す斜視図である。図１７は、本発明のカメラ用フォーカルプレンシャッタの第４実施例で、露光作動完了状態を示し、模式的に示した概略的な側面図である。なお、第３実施例と共通する部材等については、同様の符号を付して説明を省略する。
第４実施例においては、中間板は、各羽根群の重畳、走査及び散開を許容する範囲で、各羽根群の各羽根同士が光軸方向に中間板側へ離れるのを制限するよう、中間板の所定の面を、各羽根群の少なくとも散開時の各羽根の重なり状態に沿って光軸に対して直角の位置より傾斜させた状態にて、中間板を光軸方向に移動可能に支持する肉厚に形成された肉厚部を有することとしたものである。
【００２８】
３５は中間板で、合成樹脂材料により一体成形された、いわゆる樹脂モールドされたものであり、図１５および図１６に示すように、開口３５ａ、貫通した支持孔３５ｂ，３５ｃが、一体成形により形成されている。中間板３５は、支持孔３５ｂが軸部３ｂ，４ｂに適度に摺接度をもって挿入され、また、支持孔３５ｃが図示しない軸部に適度に摺接度をもって挿入され、いわゆるガタの発生が抑制されて安定した状態にて、光軸方向に移動可能になっている。支持孔３５ｂの各片側の面の周囲は、平面部３５ｄが形成されており、この実施例では、平面形状が円形に形成されている。平面部３５ｄの反対側の面は、平面部３５ｄと平行な面３５ｅに形成されている。開口３５ａが形成される両面、及びその周囲の両面は、平面部３５ｄの面に対して、所定に傾斜して形成されている。
そして、第４実施例においては、中間板３５の取付けは、支持孔３５ｂが、シャッタ基板１に固定されて取付けられた軸３，４の軸部３ｂ，４ｂに配され、支持孔３５ｂ，３５ｃ、シャッタ基板１に固定されて取付けられた図示しない軸部に配されることより行われる。支持孔３５ｂが軸部３ｂ，４ｂに適度に摺接度をもって挿入され、支持孔３５ｃが図示しない軸部に適度に摺接度をもって挿入され、かつ支持孔３５ｂ，３５ｃが形成されている部位が肉厚に形成されているので、軸部３ｂ，４ｂに配されることにより、開口３５ａが形成される面、及びその周囲の面が、光軸に対して傾斜した状態で保持される。すなわち、中間板３５の開口３５ａが形成される両面、及びその周囲の両面を、先羽根群及び後羽根群の各羽根群の少なくとも散開時の各羽根の重なり状態に沿って、光軸に対して傾斜した状態となるように、支持孔３５ｂ，３５ｃを有する部位を合成樹脂材料により一体成形しておくことにより実現される。また、平面部３５ｄ及び平面部３５ｄの反対側の面の平面部３５ｄと平行な面３５ｅでの、隣接部材との当接支持においても、中間板３５の開口３５ａが形成される両面及びその周囲の両面の前記傾斜した状態が変化することがない。また、支持孔３５ｂが形成される部位の肉厚を変更することにより、中間板３５を光軸方向に所定に移動可能として、中間板３５の光軸方向への移動があっても、中間板３５の開口３５ａが形成される両面及びその周囲の両面の前記傾斜した状態が変化することがない。
【００２９】
上述した第４実施例においては、支持部を構成する部位として、支持孔のような孔形状の場合にて説明したが、この形状に限定されることはなく、例えば、軸部３ｂ，４ｂに規制されて係合する凹形状の係合部としてもよく、また、４箇所であることに限定されるものではなく、要するに、中間板３５の開口３５ａが形成される両面、及びその周囲の両面が各羽根群の少なくとも散開時の各羽根の重なり状態に沿って光軸に対して直角の位置より傾斜した状態を保持するとともに中間板３５を光軸方向に移動可能とすることを満足する形状であればよい。
また、中間板３５の開口３５ａが形成される周囲の両面において、各羽根群の重畳、走査及び散開を許容する範囲で、各羽根群の各羽根同士が光軸方向に前記中間板側へ離れるのを制限する肉厚部を、さらに形成するにより、より一層の効果を奏することになる。この場合、アーム類の軌跡領域においては、必要以上に肉厚としない、あるいは、肉薄にして、アームの揺動に対し負荷を与えないようにすることにより、より効果的である。
【００３０】
第５実施例及び第６実施例
次に、第５実施例及び第６実施例について図を用いて説明するが、理解を容易にするために、第５実施例及び第６実施例に対応する従来技術の不都合な点について、図１８及び図１９を用いて説明する。
図１８は、従来のカメラ用フォーカルプレンシャッタを示し、要部のみを模式的に示した概略的な側面図である。図１８において、３０１はシャッタ基板で、開口３０１ａが形成されている。３０２は先羽根群で、複数枚の羽根より構成され、この例では、４枚の羽根３０２ａ，３０２ｂ，３０２ｃ，３０２ｄより構成されている。先羽根群３０２は、各羽根３０２ａ，３０２ｂ，３０２ｃ，３０２ｄが、アーム３０３に、かしめダボ３０４ａ，３０４ｂ，３０４ｃ，３０４ｄにより連結されている。アーム３０３は、シャッタ基板１側の図示しない所定の軸に配されて、揺動されるようになっている。３０５は中間板で、通常、金属材料又は樹脂材料よりなる面全体に渡りほぼ同厚の板状のもので、開口３０５ａが形成されている。中間板３０５は、図示しない孔が複数形成されていて、該孔によりシャッタ基板３０１側の所定の軸に緩挿されていて、比較的自由度を有する状態となっている。
このように、４枚の羽根３０２ａ，３０２ｂ，３０２ｃ，３０２ｄはアーム３０３に連結されて重なり合う状態となるので、アーム３０３に取付けられた側と反対の各羽根の先端側では、互いに各羽根面が当接して重ならずに、離れた状態となってしまう。そして、この離れの程度は、羽根の自重等に依存・影響されるとともに、カメラ姿勢等により変化するものである。さらに、製造誤差等の要因も加わることになる。中間板の使用により、図１８に示すように、上述の離れ現象を抑制して、各羽根同士をより当接状態へと導くことが、ある程度可能である。しかしながら、図１８に示すように、羽根のアーム側より先端側へ行くに従い、シャッタ基板３０１の面との距離が増大する方向、すなわち、図において右上がり状態となる現象を有している。
【００３１】
また、各羽根について、それぞれの羽根は、かしめダボにより固定されるので、特にかしめ部付近において羽根面のたわみが大きく、このたわみが羽根全体の平面性に影響することになる。特に、スリット形成羽根においての、この現象は、横位置像の画面における左右の露光ムラとなるという不都合を有している。図１９は、特に、スリット形成羽根について示したもので、４０１はシャッタ基板で、開口４０１ａが形成されている。４０２ａは先羽根群４０２の先スリット形成羽根で、アーム４０３に、かしめダボ４０４ａにより連結されている。そして、スリット形成羽根４０２ａは、少なくとも開口４０１ａにおいて、羽根面が光軸に対して直角を保って揺動されることが好ましいが、図１９に示すように、羽根の先端側が、シャッタ基板４０１より離れる方向に向いている。このことは、後羽根群の後スリット形成羽根についても同様である。従って、先スリット形成羽根と後スリット形成羽根との間の距離が、開口４０１ａに対する位置により異なることになり、これは、開口内の位置によって入射光量がばらつくということになる。
図１８や図１９に示したものの他、製造誤差等によるばらつき等によっても、上述の、各羽根間の距離の増大、羽根面の光軸に対する直角位置からのずれを生じる。
【００３２】
第５実施例及び第６実施例は、上述の不都合を点を解消したものであり、中間板は、各羽根群の重畳、走査及び散開を許容する範囲で、各羽根群の各羽根同士が光軸方向に中間板側へ離れるのを制限するよう、中間板の所定の面を、各羽根群の少なくとも散開時の各羽根の重なり状態に沿って光軸に対して直角の位置より傾斜させた状態にて、中間板を光軸方向に移動可能に支持する肉厚に形成された肉厚部を有するとともに、中間板の、各羽根群のアームに支持されない先端側に対向する部位が、アームに支持される基部側に対向する部位よりも肉厚に形成された肉厚部を有することとしたものである。
これにより、先スリット形成羽根及び後スリット形成羽根を、その羽根面を光軸に対して直角にて揺動可能とするとともに、該スリット形成羽根の位置に照準させて、他の遮光羽根を該スリット形成羽根に近接又は当接させた状態とすることができる。従って、画面内の位置による露光ムラや、羽根同士の離れによる漏光等を防止することができる。
【００３３】
第５実施例について、図を用いて説明する。図２０は、本発明のカメラ用フォーカルプレンシャッタの第５実施例を示し、中間板を示す斜視図である。なお、第４実施例と共通する部材等については、同様の符号を用いて、説明等を省略する。
６０１は中間板で、合成樹脂材料により一体成形された、いわゆる樹脂モールドされたものであり、開口６０１ａ、貫通した支持孔６０１ｂ，６０１ｃが、一体成形により形成されていて、支持孔６０１ｂが軸部３ｂ，４ｂに適度に摺接度をもって挿入され、また、支持孔６０１ｃが図示しない軸部に適度に摺接度をもって挿入され、いわゆるガタの発生が抑制されて安定した状態にて、光軸方向に移動可能になっている。支持孔６０１ｂの各片側の面の周囲は、平面部６０１ｄが形成されている。平面部６０１ｄの反対側の面は、平面部６０１ｄと平行な面６０１ｅに形成されている。開口６０１ａが形成される両面及びその周囲の両面は、平面部６０１ｄの面に対して、所定に傾斜して形成されている。
中間板６０１の、少なくとも開口６０１ａの略中央線に対して、先羽根群７のアームに支持されない先端側に対向する部位には、肉厚部６０１ｆが形成されている。また、中間板６０１の、少なくとも開口６０１ａの略中央線に対して、後羽根群１２のアームに支持されない先端側に対向する部位には、肉厚部６０１ｇが形成されている。
肉厚部６０１ｆは、先羽根群７のアームに支持されない先端側を主とした所定の部位に当接し、また、肉厚部６０１ｇは、後羽根群１２のアームに支持されない先端側を主とした所定の部位に当接して、これにより、各羽根群のスリット形成羽根の、光軸方向における本来の位置を、照準の位置として、他の遮光羽根を、スリット形成羽根に近接又は当接させるとともに、各遮光羽根同士を近接又は当接させることができる。
なお、肉厚部６０１ｆ，６０１ｇは、この実施例においては、平面にて形成された平坦部と、平面にて形成された斜面部とよりなっているが、これに限定されることはなく、各羽根群の重畳、走査及び散開を許容する範囲で、各羽根群の各羽根同士が光軸方向に中間板側へ離れるのを制限するよう、中間板の、各羽根群のアームに支持されない先端側に対向する部位が、アームに支持される基部側に対向する部位よりも肉厚に形成された肉厚部を有していればよい。
これにより、先及び後スリット形成羽根を、その羽根面を光軸に対して直角にて揺動可能とするとともに、このように、各羽根群のスリット形成羽根の光軸方向における本来の位置を照準の位置として、他の遮光羽根をスリット形成羽根に近接又は当接させるとともに、各遮光羽根同士を近接又は当接させることができる。従って、画面内の位置による露光ムラや、羽根同士の離れによる漏光等を防止できる。
【００３４】
第６実施例について、図を用いて説明する。図２１は、本発明のカメラ用フォーカルプレンシャッタの第６実施例を示し、模式的に示した概略的な側面図である。図２２は、本発明のカメラ用フォーカルプレンシャッタの第６実施例を示し、開口中央付近での模式的に示した概略的な断面図である。図２３は、本発明のカメラ用フォーカルプレンシャッタの第６実施例を示し、一部を模式的に示した概略的な断面図である。なお、第４実施例と共通する部材等については、同様の符号を付して説明を省略する。
【００３５】
４５は中間板で、合成樹脂材料により一体成形された、いわゆる樹脂モールドされたものであり、開口４５ａ、貫通した支持孔４５ｂ，４５ｃが、一体成形により形成されていて、支持孔４５ｂが軸部３ｂ，４ｂに適度に摺接度をもって挿入され、また、支持孔４５ｃが図示しない軸部に適度に摺接度をもって挿入され、いわゆるガタの発生が抑制されて安定した状態にて、光軸方向に移動可能になっている。支持孔４５ｂの各片側の面の周囲は、平面部４５ｄが形成されている。平面部４５ｄの反対側の面は、平面部４５ｄと平行な面４５ｅに形成されている。開口４５ａが形成される両面及びその周囲の両面は、平面部４５ｄの面に対して、所定に傾斜して形成されている。
中間板４５の、少なくとも開口４５ａの略中央線に対して、先羽根群７のアームに支持されない先端側に対向する部位には、肉厚部４５ｆが形成されている。また、中間板４５は、少なくとも開口４５ａの略中央線に対して、後羽根群１２のアームに支持されない先端側に対向する部位には、肉厚部４５ｇが形成されている。図２１においては、紙面の手前側が、アームに支持されない先端側に対向する部位となり肉厚に形成されているので、羽根群はその一部のみが見える状態となっている。
図２２は、開口４５ａの略中央の位置における断面を示したものである。
【００３６】
図２３は、図２１におけるＣ−Ｃ線における断面を示したものである。この断面図においては、中間板４５の構成により、先羽根群７の先スリット形成羽根７ａは、肉厚部の面４５ｆに当接して、シャッタ基板１の開口１ａと略平行となるようにされて、羽根面が光軸に対して直角により近い状態となるようにされている。そして、この面４５ｆは、先羽根群７の他の羽根ついても、図２１に示す散開時の各羽根の位置も含めて、走査中及び重畳状態において、各羽根が肉厚部の面４５ｆに当接して、シャッタ基板１の開口１ａと略平行となるようにされて、羽根面が光軸に対して直角により近い状態となるようにされるように、肉厚部４５ｆの形状が形成されている。後羽根群１２側の肉厚部の面４５ｇは、その形状の変化は、面４５ｆとは方向が異なるが、面４５ｆと同様に形成されている。
【００３７】
これにより、先及び後スリット形成羽根を、その羽根面を光軸に対して直角にて揺動可能とするとともに、このように、各羽根群のスリット形成羽根の光軸方向における本来の位置を照準の位置として、他の遮光羽根をスリット形成羽根に近接又は当接させるとともに、各遮光羽根同士を近接又は当接させることができる。従って、画面内の位置による露光ムラや、羽根同士の離れによる漏光等を防止できる。
【００３８】
第７実施例、第８実施例及び第９実施例
次に、第７実施例、第８実施例及び第９実施例について、図を用いて説明する。図２４は、本発明のカメラ用フォーカルプレンシャッタの第７実施例を示し、中間板を示す平面図である。図２５は、本発明のカメラ用フォーカルプレンシャッタの第７実施例を示し、中間板を示す断面図である。図２６は、本発明のカメラ用フォーカルプレンシャッタの第８実施例を示し、中間板の一部を示す断面図である。図２７は、本発明のカメラ用フォーカルプレンシャッタの第９実施例を示し、中間板の一部を示す断面図である。第７実施例、第８実施例及び第９実施例においては、中間板の開口縁を斜面形状に形成することとしたものである。
【００３９】
図２４において、５５は中間板で、合成樹脂材料により一体成形された、いわゆる樹脂モールドされたものであり、開口５５ａが形成されており、四隅には、貫通した支持孔５５ｂ，５５ｃが形成されている。支持孔５５ｂ，５５ｃの各片側の面の周囲は、平面部５５ｄが形成されており、また、該平面部５５ｄの反対側の面は、該平面部５５ｄと平行な面５５ｅに形成されている。開口５５ａが形成される両面及びその周囲の両面は、平面部５５ｄの面に対して、所定に傾斜して形成されている。
そして、第７実施例においては、中間板５５に形成された開口５５ａの縁は斜面形状に形成された斜面部５５ｆを有するようにしたものである。斜面部５５ｆは、図２５に示すように、先羽根群、後羽根群の両方の側に形成されている。このように、開口縁を斜面形状に形成することにより、光の反射が防止される。
【００４０】
次に、第８実施例について、図２６を用いて説明する。第８実施例は、中間板５６の開口縁５６ａの両面側に形成された斜面部５６ｂ，５６ｃの交わる先端をエッジ形状とするとともに、光の入射する側の斜面部５６ｂ面に粗面化処理を施したもので、反射防止効果の向上となる。
次に、第９実施例について、図２７を用いて説明する。第９実施例は、中間板５７の開口縁５７ａの両面側に形成された斜面部５７ｂ，５７ｃのうち、光の入射する側となる斜面部５７ｂの面の傾斜の度合いを、光軸に対して直角となる方向に近接させたもので、有害な光の入射を遮断する効果を有する。また、斜面部５７Ｃも同様である。
【００４１】
このように、第７実施例から第９実施例においては、各羽根群が走行する際に、開口の縁に衝突する現象が確実に防止されるとともに、開口の縁での光の反射を防止して、光の入射側からの有害な光の遮断を確実なものとする。
【００４２】
第１０実施例
次に、第１０実施例について、図を用いて説明する。図２８は、本発明のカメラ用フォーカルプレンシャッタの第１０実施例を示し、中間板を示す平面図である。
第１０実施例においては、中間板は、各羽根群のアームにに支持されない先端側の部分と、アームに支持される基部側の部分とに対向する、中間板の面であって、中間板の開口の側方に対向する部位に肉厚に形成された肉厚部を有することとしたものである。第１０実施例では、一実施例として、第４実施例を基本とした構成にて説明しているので、共通する部分等については、説明を省略する。
【００４３】
６５は中間板で、開口６５ａに対して側方となる位置であって、図示しない複数のアームに支持されない先端側に対向する部位６５ｂと、先羽根群及び後羽根群の各羽根群の図示しない複数のアームに支持される基部側に対向する部位６５ｃとに、肉厚部を形成することとしたものである。そして、部位６５ｂ，６５ｃの面が、各羽根群の少なくとも散開時の各羽根の重なり状態に沿って光軸に対して傾斜しているように形成されている。なお、部位６５ｄ，６５ｅの面を、光軸に対して直角の位置とするか、直角の位置より傾斜させた位置とするかは、適宜に選択可能である。その他の構成は、第６実施例と同様である。これにより、第６実施例と同様の効果を有するとともに、不要な負荷や空気抵抗等を軽減することができる利点を有する。なお、肉厚部と他の部位との間の段差部において、斜面形状とするかどうかは、適宜に選択可能である。もちろん、他の上述した実施例の構成に加えることにより、その効果を奏する。
【００４４】
第１１実施例
次に、第１１実施例について、図を用いて説明する。図２９は、本発明のカメラ用フォーカルプレンシャッタの第１１実施例を示し、中間板を示す平面図である。
第１１実施例においては、中間板は、アームに支持されない先端側の部分と、各羽根群のアームに支持される基部側の部分とに対向する中間板の面であって、該中間板の開口の側方に対向する部位に肉厚に形成された肉厚部を有することとして、該肉厚部はガイドレール形状であることとしたものである。第１１実施例では、一実施例として、第４実施例を基本とした構成にて説明しているので、共通する部分等については、説明を省略する。
【００４５】
７５は中間板で、開口７５ａの所定の両側方に、ガイドレール形状の肉厚部７５ｂ，７５ｃを合成樹脂材料により一体成形したものである。そして、部位７５ｂ，７５ｃの面が、各羽根群の少なくとも散開時の各羽根の重なり状態に沿って光軸に対して傾斜しているように形成されている。なお、他の部位の面を、光軸に対して直角の位置とするか、直角の位置より傾斜させた位置とするかは、適宜に選択可能である。その他の構成は、第３実施例と同様である。これにより、第３実施例と同様の効果を有するとともに、第１０実施例の考え方をさらに進め、不要な負荷や空気抵抗等を軽減することができる利点を有する。なお、肉厚部と他の部位との間の段差部において、斜面形状とするかどうかは、適宜に選択可能である。もちろん、他の上述した実施例の構成に加えることにより、その効果を奏する。なお、この実施例においては、連続した同一肉厚（同一高さ）のレールであるが、不連続のものであったり、あるいは、肉厚（高さ）を変化させた形状のものであってもよい。
【００４６】
第１２実施例
次に、第１２実施例について説明する。第１２実施例においては、中間板は、外周部分に遮光壁を合成樹脂材料により一体成形することとしたものである。例えば、図１５において、先羽根群７の散開に支障がない範囲で、平面部３５ｄ，３５ｄ間を、平面部３５ｄ，３５ｄと同一の肉厚にて連続した形状に形成することにより、シャッタの側方からの光の進入を防止することができる。いずれにしても、作動や組立等に支障の内容に中間板３５の外周囲を壁状に形成することにより、シャッタの側方からの光の進入を防止することができ、しかも、中間板の面強度が増すという利点を有する。この中間板の面強度は、遮光壁の肉厚や形状により適宜に調整することが可能である。
【００４７】
第１３実施例及び第１４実施例
次に、第１３実施例及び第１４実施例について、図を用いて説明する。図３０は、本発明のカメラ用フォーカルプレンシャッタの第１３実施例及び第１４実施例を示し、中間板を示す平面図である。図３１は、本発明のカメラ用フォーカルプレンシャッタの第１３実施例及び第１４実施例を示し、中間板を示す平面図である。
第１３実施例においては、中間板は、露光形成時の後羽根群の走行終端側において所定のアームを衝突制動するアーム緩衝部材を配するとともに、該アーム緩衝部材を位置決めする凸形状の第１の位置決め部を合成樹脂材料により一体成形することとしたものである。
第１４実施例においては、中間板は、露光形成時の後羽根群の走行終端側において所定の羽根を衝突制動する羽根緩衝部材を配するとともに、該羽根緩衝部材を位置決めする所定長の凸形状の第２の位置決め部を合成樹脂材料により一体成形することとしたものである。
第１３実施例及び第１４実施例では、一実施例として第４実施例を基本とした構成にて説明しているので、共通する部分等については、説明を省略する。
【００４８】
図３０において、９５は中間板で、開口９５ａが形成されている。また、図３１は、図３０を紙面の裏側から見た平面図で、前述の後スリット形成羽根１２ａ及び後羽根支持アーム１４を露光形成時の後羽根群の走行完了終端側において衝突制動する緩衝部材９６、９７を位置決めする凸形状の位置決め部９５ｂ，９５ｃを、中間板に合成樹脂材料により一体成形している。
このように、後スリット形成羽根１２ａを衝突制動する緩衝部材９６（羽根緩衝部材）を位置決めする位置決め部９５ｂ（第１の位置決め部）は、所定長の凸形状にて、この実施例においては、開口９５ａに対応した長さにて、中間板に合成樹脂材料により一体成形したので、確実に後羽根群を停止させることができ、正確な露光作動とすることができるのみならず、シャッタの側方からの光の進入防止に対しても、効果を奏する。
【００４９】
第１５実施例
次に、第１５実施例について、図を用いて説明する。図３２は、本発明のカメラ用フォーカルプレンシャッタの第１５実施例を示し、中間板を示す平面図である。図３３は、本発明のカメラ用フォーカルプレンシャッタの第１５実施例を示し、中間板を示す側面図である。図３４は、本発明のカメラ用フォーカルプレンシャッタの第１５実施例を示す側面図である。
第１５実施例においては、中間板は、中間板面から延設された足部と該足部より折曲げ形状に突設された止め部とを有する係合部を合成樹脂材料により一体成形することとしたものである。
【００５０】
１０５は中間板で、開口１０５ａを有し、第４実施例において説明したような支持孔１０５ｂを有するとともに、係合部１０５ｃ，１０５ｄを、合成樹脂材料により一体成形することとしたものである。係合部１０５ｃ，１０５ｄは、中間板１０５面から延設された足部１０５ｅ，１０５ｆと、足部１０５ｅ，１０５ｆより折曲げ形状に突設された止め部１０５ｇ，１０５ｈとを有している。足部１０５ｅ，１０５ｆの長さを適切なものとすることにより、中間板１０５の光軸方向の所定の移動を可能とする。
このようにすることにより、シャッタ基板側へ軸を設ける必要がなくなる。また、シャッタ基板もしくはカバー板側に適当な凹部を形成することより、面方向へのスライド挿入により、取付けることが可能となって、容易な位置決めが可能となり、組立において、その作業が容易になるとともに、正確さにおいても、向上される。
【００５１】
図３４は、シャッタ基板側に凹部を設けた場合の実施例を示すものである。
１０１はシャッタ基板で、開口１０１ａが形成されており、開口１０１ａのひとつの側方に、先羽根群及び後羽根群を駆動するための駆動部１０２が配設されている。シャッタ基板１０１には、図示しない複数の孔が形成されており、所定の孔に軸１０３，１０４が固定されて取付けられ、他の孔には図示しない軸が固定され取付けられている。また、シャッタ基板１０１には、凹部１０１ｄ，１０１ｄが形成されている。軸１０３，１０４は、シャッタ基板１０１側に所定肉厚の台部１０３ａ，１０４ａが一体に形成されており、軸部１０３ｂ，１０４ｂが延長され、軸部１０３ｂ，１０４ｂに連続して小径部１０３ｃ，１０４ｃが設けられ、先端側には止め部１０３ｄ，１０４ｄが形成されている。１０６はカバー板で、開口１０６ａが形成されていて、また、突出部１０６ｂ，１０６ｃが形成されている。また、カバー板１０６は、孔１０６ｅが形成されていて、孔１０６ｅにて小径部１０３ｃ，１０４ｃに挿入される。また、軸部１０３ｂ，１０４ｂによりカバー板１０６のシャッタ基板１０１側への移動を制限されている。
１０７は先羽根群で、複数枚の羽根より構成され、この例では、４枚の羽根１０７ａ，１０７ｂ，１０７ｃ，１０７ｄより構成され、図３４においては散開状態にある。１１２は後羽根群で、複数枚の羽根より構成され、この例では、４枚の羽根１１２ａ，１１２ｂ，１１２ｃ，１１２ｄより構成され、図３４においては重畳状態にある。１１７は先羽根押え板で、台部１０３ａ，１０４ａに当接可能になっている。１１８は後羽根押え板で、一方の面は、カバー板１０６の突出部１０６ｂ，１０６ｃに当接可能で、それ以上の移動を制限されている。１１９は先羽根群用スペーサで、先羽根群１０７の重畳状態における所定の空間を形成する。１２０は後羽根群用スペーサで、後羽根群１１２の重畳状態における所定の空間を形成する。
【００５２】
従って、中間板１０５の足部１０５ｅ，１０５ｆが、シャッタ基板１０１の１０１ｄ，１０１ｄにスライド挿入されることにより、シャッタ基板１０１への配設が行われる。なお、中間板とカバー板とで、このような係合が行われるようにしてもよく、このような凹部をカバー板側に形成してもよいことは、もちろんである。
【００５３】
また、各羽根群とシャッタ基板、カバー板との間に羽根押え板を配するようにした構成において、各羽根押え板とともにシャッタ基板、カバー板をそれぞれ樹脂材料により一体成形することにより、軸をシャッタ基板又はカバー板に樹脂材料にて一体成形できるので、該軸の本数に関係なく同時に形成できることはもちろん、該軸の外径を最小限のものとすることができ、また、該軸の配設位置の選択幅も広くなる。さらに、スペーサ（座金）等の厚さや空間の調整部材を、中間板又はシャッタ基板やカバー板に肉厚部として一体成形し、シャッタ基板又はカバー板に、中間板に設けた上述の係合部と同様の係合部を形成することにより、軸をも不要なものとし、工数簡略化や小型化等における利点を有するものとなり、その効果はきわめて大である。
【００５４】
第１６実施例
次に、第１６実施例について説明する。第１６実施例においては、中間板は、中間板のシャッタ基板側及びカバー板側に位置されて各羽根群の重畳状態を許容する空間を形成するためのスペース部材を、合成樹脂材料により一体成形することとしたものである。
上述した各実施例においては、先羽根群用スペーサ、後羽根群用スペーサは、中間板とは別部材にて構成されていたが、第１６実施例においては、この先羽根群用スペーサ及び後羽根群用スペーサを中間板に一体成形したものであり、これにより、中間板の傾斜状態を安定して支持するとともに、光軸方向への正確な移動が実現される。そして、当然のことながら、部品点数の低減となる。
【００５５】
第１７実施例
次に、第１７実施例について説明する。第１７実施例においては、中間板を形成する合成樹脂材料は、遮光性を有し反射防止機能を備える黒色のバインダーを添加していることとしたものである。
中間板の形成においては、画枠位置による露光量誤差を防止するため先羽根群と後羽根群との間隔をより小さくすることの要求により、より薄いものであることが必要である。また、露光作動時における中間板の複雑な変形運動を防止するため、所定の剛性を必要とする。また、中間板面での、不要、有害な光の反射を防止する必要がある。このように、シャッタ地板やカバー板とは異なる、中間板に固有の課題を有するものである。
中間板の材料としては、従来は、金属材料（ＳＫ材）や２軸延伸タイプのポリエステルフィルム材よりなる平板材が用いられていた。２軸延伸タイプのポリエステルフィルム材の平板材を用いた中間板は、強度的に弱いため、幕速度を速くして高速秒時を実現しようとするタイプのシャッタには不向きであった。また、金属材料よりなる平板材を用いた中間板は、強度的には強いものとなるが、遮光性や反射防止（低反射のものとする）の点で問題を有しており、これを解消するための塗装処理等を必要として、工数の増加となり、コストアップの原因ともなっていた。
これに対して、中間板を合成樹脂材料により一体成形するようにし、かつ中間板を形成する合成樹脂材料は、遮光性を有し反射防止機能を備える黒色のバインダーを添加することにより、所定の剛性を備えるとともに、遮光性を有し且つ低反射のものとすることができるので、高速秒時シャッタ適したものとすることができる。
さらに、中間板の材料としては、流動性・寸法安定性に優れた液晶ポリマー，アセタール樹脂或いはエポキシ樹脂系の熱硬化性成形材料が好ましく、特に、遮光性を高めるために、カーボンブラックを黒色バインダーとして、重量比２〜10％程度混入させた液晶ポリマーが最適である。また、グラファイトを添加することにより、摺動性がよくなり、シャッタ性能も優れたものとなる。
このような中間板固有の問題に対して、中間板の形成において、用いる合成樹脂材料を、遮光性を有し  反射防止機能を備える黒色のバインダーを添加することにより、部材そのものに遮光性を有し反射防止機能を備えるようにすることができるので、露光を正確なものとすることができる。
【００５６】
【発明の効果】
上述したように、本発明による中間板を配したカメラ用フォーカルプレンシャッタとすることにより、上述した各特徴を有し、その効果は極めて大である。
【図面の簡単な説明】
【図１】本発明のカメラ用フォーカルプレンシャッタの第２実施例を示し、中間板を示す斜視図である。
【図２】本発明のカメラ用フォーカルプレンシャッタの第３実施例で、セット完了状態を示し、模式的に示した概略的な側面図である。
【図３】本発明のカメラ用フォーカルプレンシャッタの第３実施例で、シャッタ基板を示す平面図である。
【図４】本発明のカメラ用フォーカルプレンシャッタの第３実施例で、先羽根押え板を示す平面図である。
【図５】本発明のカメラ用フォーカルプレンシャッタの第３実施例で、先羽根群を示す平面図である。
【図６】本発明のカメラ用フォーカルプレンシャッタの第３実施例で、中間板を示す平面図である。
【図７】本発明のカメラ用フォーカルプレンシャッタの第３実施例で、後羽根群を示す平面図である。
【図８】本発明のカメラ用フォーカルプレンシャッタの第３実施例で、後羽根押え板を示す平面図である。
【図９】本発明のカメラ用フォーカルプレンシャッタの第３実施例で、カバー板を示す平面図である。
【図１０】本発明のカメラ用フォーカルプレンシャッタの第３実施例で、中間板を示し、図６におけるＢ−Ｂ線での断面図である。
【図１１】本発明のカメラ用フォーカルプレンシャッタの第３実施例で、セット完了状態を示し、開口中央付近での模式的に示した概略的な側面図である。
【図１２】本発明のカメラ用フォーカルプレンシャッタの第３実施例で、露光作動完了状態を示し、開口中央付近での模式的に示した概略的な側面図である。
【図１３】本発明のカメラ用フォーカルプレンシャッタの第３実施例で、図２におけるＡ−Ａ線での模式的に示した概略的な断面図である。
【図１４】本発明のカメラ用フォーカルプレンシャッタの第４実施例で、セット完了状態を示し、模式的に示した概略的な側面図である。
【図１５】本発明のカメラ用フォーカルプレンシャッタの第４実施例で、中間板を示す平面図である。
【図１６】本発明のカメラ用フォーカルプレンシャッタの第４実施例で、中間板を示す斜視図である。
【図１７】本発明のカメラ用フォーカルプレンシャッタの第４実施例で、露光作動完了状態を示し、模式的に示した概略的な側面図である。
【図１８】従来のカメラ用フォーカルプレンシャッタを示し、要部のみを模式的に示した概略的な側面図である。
【図１９】従来のカメラ用フォーカルプレンシャッタを示し、要部のみを模式的に示した概略的な側面図である。
【図２０】本発明のカメラ用フォーカルプレンシャッタの第５実施例を示し、中間板を示す斜視図である。
【図２１】本発明のカメラ用フォーカルプレンシャッタの第６実施例を示し、模式的に示した概略的な側面図である。
【図２２】本発明のカメラ用フォーカルプレンシャッタの第６実施例を示し、開口中央付近での模式的に示した概略的な断面図である。
【図２３】本発明のカメラ用フォーカルプレンシャッタの第６実施例を示し、一部を模式的に示した概略的な断面図である。
【図２４】本発明のカメラ用フォーカルプレンシャッタの第７実施例を示し、中間板を示す平面図である。
【図２５】本発明のカメラ用フォーカルプレンシャッタの第７実施例を示し、中間板を示す断面図である。
【図２６】本発明のカメラ用フォーカルプレンシャッタの第８実施例を示し、中間板の一部を示す断面図である。
【図２７】本発明のカメラ用フォーカルプレンシャッタの第９実施例を示し、中間板の一部を示す断面図である。
【図２８】本発明のカメラ用フォーカルプレンシャッタの第１０実施例を示し、中間板を示す平面図である。
【図２９】本発明のカメラ用フォーカルプレンシャッタの第１１実施例を示し、中間板を示す平面図である。
【図３０】本発明のカメラ用フォーカルプレンシャッタの第１３実施例および第１４実施例を示し、中間板を示す平面図である。
【図３１】本発明のカメラ用フォーカルプレンシャッタの第１３実施例および第１４実施例を示し、中間板を示す平面図である。
【図３２】本発明のカメラ用フォーカルプレンシャッタの第１５実施例を示し、中間板を示す平面図である。
【図３３】本発明のカメラ用フォーカルプレンシャッタの第１５実施例を示し、中間板を示す側面図である。
【図３４】本発明のカメラ用フォーカルプレンシャッタの第１５実施例を示す側面図である。
【図３５】従来のカメラ用フォーカルプレンシャッタを示し、模式的に示した概略的な側面図である。
【符号の説明】
１        シャッタ基板
１ａ        開口
２        駆動部
５        中間板
５ａ        開口
５ｂ，５ｃ    孔
５ｄ，５ｅ  肉厚部
６        カバー板
７        先羽根群
１２      後羽根群
【図１】
0003727700.tif 000002
【図２】
0003727700.tif 000003
【図３】
0003727700.tif 000004
【図４】
0003727700.tif 000005
【図５】
0003727700.tif 000006
【図６】
0003727700.tif 000007
【図７】
0003727700.tif 000008
【図８】
0003727700.tif 000009
【図９】
0003727700.tif 000010
【図１０】
0003727700.tif 000011
【図１１】
0003727700.tif 000012
【図１２】
0003727700.tif 000013
【図１３】
0003727700.tif 000014
【図１４】
0003727700.tif 000015
【図１５】
0003727700.tif 000016
【図１６】
0003727700.tif 000017
【図１７】
0003727700.tif 000018
【図１８】
0003727700.tif 000019
【図１９】
0003727700.tif 000020
【図２０】
0003727700.tif 000021
【図２１】
0003727700.tif 000022
【図２２】
0003727700.tif 000023
【図２３】
0003727700.tif 000024
【図２４】
0003727700.tif 000025
【図２５】
0003727700.tif 000026
【図２６】
0003727700.tif 000027
【図２７】
0003727700.tif 000028
【図２８】
0003727700.tif 000029
【図２９】
0003727700.tif 000030
【図３０】
0003727700.tif 000031
【図３１】
0003727700.tif 000032
【図３２】
0003727700.tif 000033
【図３３】
0003727700.tif 000034
【図３４】
0003727700.tif 000035
【図３５】
0003727700.tif 000036